(57)【要約】  【課題】耕盤ができにくい農作業機を提供する。  【解決手段】農作業機１は、アップカット方向に回転しながら耕耘作業をするロータリ耕耘体５を備える。農作業機１は、ロータリ耕耘体５の前方位置にロータリ耕耘体５の略全幅にわたった状態で位置し、ロータリ耕耘体５より深い位置から土を後斜め上方に誘導する土誘導体12を備える。土誘導体12は、複数の傾斜状の土誘導板13にて構成する。  【選択図】図１
2005204556.tif 000002
【特許請求の範囲】
【請求項１】
回転しながら耕耘作業をするロータリ耕耘体と、
このロータリ耕耘体の前方位置に前記ロータリ耕耘体の略全幅にわたった状態で位置し、前記ロータリ耕耘体より深い位置から土を後斜め上方に誘導する土誘導体と
を備えることを特徴とする農作業機。
【請求項２】
ロータリ耕耘体の上方部を覆うカバー体を備え、
このカバー体は、前記ロータリ耕耘体から離間するように湾曲面状に形成された湾曲面部を有する
ことを特徴とする請求項１記載の農作業機。
【請求項３】
ロータリ耕耘体およびカバー体の湾曲面部間に位置するスクリーンを備える
ことを特徴とする請求項２記載の農作業機。
【請求項４】
ロータリ耕耘体の後方位置に位置し、前記ロータリ耕耘体側からの土塊を側方に搬送する横送りコンベヤを備える
ことを特徴とする請求項１記載の農作業機。
【発明の詳細な説明】
【技術分野】
【０００１】
本発明は、耕盤ができにくい農作業機に関するものである。
【背景技術】
【０００２】
従来、例えばアップカット方向に回転しながら耕耘作業をするロータリ耕耘体と、ロータリ耕耘体の上方部を覆うとともに後端部に均平板を有するカバー体と、ロータリ耕耘体および均平板間に前後方向進退調節自在に配設されたスクリーンとを備えた耕耘砕土機等の農作業機が知られている（例えば、特許文献１参照）。
【特許文献１】実開平１−１６７８０４号公報
【発明の開示】
【発明が解決しようとする課題】
【０００３】
しかしながら、上記従来の農作業機を使用して耕耘作業をした場合、例えば圃場の土質等によっては耕盤ができやすいという問題がある。
【０００４】
本発明は、このような点に鑑みなされたもので、耕盤ができにくい農作業機を提供することを目的とする。
【課題を解決するための手段】
【０００５】
請求項１記載の農作業機は、回転しながら耕耘作業をするロータリ耕耘体と、このロータリ耕耘体の前方位置に前記ロータリ耕耘体の略全幅にわたった状態で位置し、前記ロータリ耕耘体より深い位置から土を後斜め上方に誘導する土誘導体とを備えるものである。
【０００６】
そして、ロータリ耕耘体より深い位置から土を後斜め上方に誘導する土誘導体を備えるため、耕盤ができにくくなり、農作物にとって最適な床を作ることが可能となる。
【０００７】
請求項２記載の農作業機は、請求項１記載の農作業機において、ロータリ耕耘体の上方部を覆うカバー体を備え、このカバー体は、前記ロータリ耕耘体から離間するように湾曲面状に形成された湾曲面部を有するものである。
【０００８】
そして、カバー体の湾曲面部がロータリ耕耘体から離間して位置するため、農作物にとってより一層最適な床を作ることが可能となる。
【０００９】
請求項３記載の農作業機は、請求項２記載の農作業機において、ロータリ耕耘体およびカバー体の湾曲面部間に位置するスクリーンを備えるものである。
【００１０】
そして、ロータリ耕耘体およびカバー体の湾曲面部間に位置するスクリーンにて、大きい土塊や石等を適切に分離することが可能となるとともに土塊を小さくすることが可能となる。
【００１１】
請求項４記載の農作業機は、請求項１記載の農作業機において、ロータリ耕耘体の後方位置に位置し、前記ロータリ耕耘体側からの土塊を側方に搬送する横送りコンベヤを備えるものである。
【００１２】
そして、ロータリ耕耘体の後方位置に位置する横送りコンベヤにて、ロータリ耕耘体側からの土塊等を側方に適切に搬送することが可能となる。
【発明の効果】
【００１３】
請求項１記載の農作業機によれば、ロータリ耕耘体より深い位置から土を後斜め上方に誘導する土誘導体を備えるため、耕盤ができにくくなり、農作物にとって最適な床を作ることができる。
【００１４】
請求項２記載の農作業機によれば、カバー体の湾曲面部がロータリ耕耘体から離間して位置するため、農作物にとってより一層最適な床を作ることができる。
【００１５】
請求項３記載の農作業機によれば、ロータリ耕耘体およびカバー体の湾曲面部間に位置するスクリーンにて、大きい土塊や石等を適切に分離できるとともに土塊を小さくすることができる。
【００１６】
請求項４記載の農作業機によれば、ロータリ耕耘体の後方位置に位置する横送りコンベヤにて、ロータリ耕耘体側からの土塊等を側方に適切に搬送できる。
【発明を実施するための最良の形態】
【００１７】
本発明の農作業機の一実施の形態を図１および図２を参照して説明する。
【００１８】
図１および図２において、１は農作業機で、この農作業機１は、例えば走行車であるトラクタ（図示せず）に連結された状態でこのトラクタの走行により前方に移動しながら耕耘作業を行うロータリ耕耘装置（馬鈴薯の床作り用先金付ロータリ等）である。なお、農作業機１による耕耘作業の後、畝立て作業等の後作業が行われる。
【００１９】
そして、この農作業機１は、トラクタの３点リンク部に連結された機体２を備えている。
【００２０】
機体２は、左右両側に互いに離間対向したチェーンケース部３およびブラケット部（図示せず）を有し、これらチェーンケース部３およびブラケット部間には、トラクタのＰＴＯ軸にユニバーサルジョイント等を介して連結された入力軸４側からの動力により所定方向、例えばアップカット方向に回転しながら耕耘作業をするロータリ耕耘体５が配設されている。
【００２１】
ロータリ耕耘体５は、左右方向に長手状の耕耘軸６を有し、この耕耘軸６には放射状をなす複数の耕耘爪７が軸方向に間隔をおいて並設されている。
【００２２】
また、機体２は、前側下部に左右方向に長手状の支持フレーム部11を有し、この支持フレーム部11には、機体２に設けたロータリ耕耘体５の前方位置にロータリ耕耘体５の略全幅にわたった状態で位置し、このロータリ耕耘体５より深い位置から圃場の土を後斜め上方に耕耘軸６側に向けて誘導する土誘導体（先金）12が設けられている。
【００２３】
すなわち、機体２の左右方向に長手状の円形パイプ状の支持フレーム部11には、前低後高の傾斜状の複数の土誘導板13が互いに等間隔をおいて支持フレーム部11の長手方向に並んで位置するように設けられ、これら複数の土誘導板13は支持フレーム部11の略全長にわたって分散して配設されている。
【００２４】
例えば金属製の各土誘導板13の前端側には略三角形状の先細部14が形成され、各土誘導板13の前端は作業時にはロータリ耕耘体５の下端より下方に位置し、各土誘導板13の後端は作業時には耕耘軸６より下方であってロータリ耕耘体５の下端より上方に位置する。なお、これら複数枚の土誘導板13にて土誘導体12が構成されている。
【００２５】
さらに、機体２には、ロータリ耕耘体５の上方部および側方部を覆う土飛散防止用のカバー体21が設けられている。カバー体21は、互いに離間対向した左右一対の側板部22を有し、これら両側板部22の上端相互および後端相互が連結板部23にて一体に連結されている。そして、カバー体21の連結板部23は、ロータリ耕耘体５から大きく離間するように湾曲面状に形成された上方に向って凸状の湾曲面部24を有している。
【００２６】
また一方、機体２は左右方向に長手状のフレーム部26を有し、このフレーム部26には大きい土塊や石等を分離するとともに土塊を小さくするくし状のスクリーン27が設けられている。
【００２７】
このスクリーン27は、ロータリ耕耘体５の上方近傍位置でこのロータリ耕耘体５の外周つまり耕耘爪７の先端の移動軌跡に沿って略円弧状に配設され、このスクリーン27はロータリ耕耘体５の上部およびカバー体21の湾曲面部24間に位置する。また、このスクリーン27は左右方向に並んだ略円弧状の複数本の棒状部材28を有し、隣合う棒状部材28間に所望の大きさの土塊のみを通過させる土排出間隙29が形成されている。なお、土排出間隙29を通過できない大きさの土塊や石等は、棒状部材28に沿ってロータリ耕耘体側に落下するようになっている。
【００２８】
なお、機体２の前側には、左右一対のゲージ輪30が上下位置調節可能に設けられている。
【００２９】
次に、上記一実施の形態の作用等を説明する。
【００３０】
農作業機１を使用して耕耘作業をする場合、図示しないトラクタの３点リンク部に機体２を連結すること等により、トラクタの３点リンク部に農作業機１を連結装着する。
【００３１】
そして、圃場においてトラクタの３点リンク部を作動させて農作業機１を所望量下降させた後、トラクタの走行により農作業機１を前方に移動させると、圃場の土は、土誘導体12にて切削されて後斜め上方に誘導され、アップカット方向に回転中のロータリ耕耘体５にて耕耘砕土される。
【００３２】
このロータリ耕耘体５にて耕耘砕土されて所望以下の大きさになった土塊は、スクリーン27の土排出間隙29を通過してカバー体21の湾曲面部24にて案内されて落下する。なお、土排出間隙29を通過不可能な大きい土塊や石等はスクリーン27の棒状部材28にて案内され、所望以下の大きさの土塊に先立って落下する。
【００３３】
このように農作業機１を使用して耕耘作業をした場合には、アップカット方向に回転中のロータリ耕耘体５の前方位置で、このロータリ耕耘体５と略同じ作業幅を有する土誘導体12が圃場の土を切削して後斜め上方に耕耘軸６側に向けて誘導するため、従来の耕耘砕土機等に比べて、圃場に硬い耕盤ができにくくなり、また細かい土の上層と粗い土の下層とからなる二層が形成され、農作物にとって最適な床を容易に作ることができ、しかも牽引抵抗の減少により作業性の向上を図ることもできる。
【００３４】
なお、農作業機１は、アップカット方向に回転しながら耕耘作業をするロータリ耕耘体５を備えるものには限定されず、例えば図３および図４に示すように、ダウンカット方向に回転しながら耕耘作業をするロータリ耕耘体５を備えるものでも同様の作用効果を奏し得る。
【００３５】
このダウンカット式の農作業機１は、図１に示すアップカット式の農作業機１とは異なり、ロータリ耕耘体５の後方位置に位置しそのロータリ耕耘体５側からスクリーン27上をこのスクリーン27に沿って送られてくる大きい土塊（土排出間隙29を通過不可能な大きい土塊や石等）を受け入れて側方、例えば進行方向左側方に搬送するとともに土塊を小さくする横送りコンベヤ31を後部に備えている。
【００３６】
横送りコンベヤ31は、例えばチェーン32およびロッド33等からなるロッドコンベヤにて構成されたもので、ロータリ耕耘体５の後方でかつカバー体21の下方の位置に配設されている。また、この横送りコンベヤ31は入力軸４側からの動力を受けて駆動するようになっている。
【００３７】
なお、図３に示すスクリーン27は、図１に示すものとは異なり、ロータリ耕耘体５の下方近傍位置でこのロータリ耕耘体５の外周つまり耕耘爪７の先端の移動軌跡に沿って略円弧状に配設されている。すなわち、スクリーン27の前端は土誘導体12の近傍に位置し、スクリーン27の後端は横送りコンベヤ31の近傍に位置する。
【００３８】
そして、このような農作業機１を使用して耕耘作業をした場合、ダウンカット方向に回転中のロータリ耕耘体５の前方位置でロータリ耕耘体５と略同じ作業幅を有する土誘導体12が圃場の土を切削して後斜め上方に耕耘軸６側に向けて誘導するとともに、ロータリ耕耘体５の後方位置でロータリ耕耘体５と略同じ搬送長さを有する横送りコンベヤ31がロータリ耕耘体５側からの大きな土塊や石等を側方に搬送するため、従来の耕耘砕土機等に比べて、圃場に硬い耕盤ができにくくなり、農作物にとって最適な床を容易に作ることができる。
【００３９】
なお、土誘導体12は、傾斜状に位置する複数の分割板である土誘導板13にて構成されたものには限定されず、例えば左右方向に長手状の１枚の板部材にて構成されたもの等でもよい。
【００４０】
また、土誘導体12は、機体２の支持フレーム部11に固設されたものでもよく、支持フレーム部11に着脱可能に取り付けられたもの等でもよい。
【００４１】
さらに、横送りコンベヤ31は、土塊の搬送方向を進行方向右側方および進行方向左側方に選択的に切換えできるようにしてもよい。
【図面の簡単な説明】
【００４２】
【図１】本発明の農作業機の一実施の形態を示す側面図である。
【図２】同上農作業機の一部平面図である。
【図３】本発明の農作業機の他の実施の形態を示す側面図である。
【図４】同上農作業機の一部平面図である。
【符号の説明】
【００４３】
１    農作業機
５    ロータリ耕耘体
12    土誘導体
21    カバー体
24    湾曲面部
27    スクリーン
31    横送りコンベヤ
【図１】
2005204556.tif 000003
【図２】
2005204556.tif 000004
【図３】
2005204556.tif 000005
【図４】
2005204556.tif 000006